(57)【要約】【課題】本発明は各種音響機器および情報通信機器に使用されるスピーカに関するものであり、スピーカの音圧レベル向上が課題であった。【解決手段】本発明のスピーカは、ヨーク２３は少なくとも２種類以上の飽和磁束密度の異なる材料から構成し、磁気飽和を発生しやすい部分には飽和磁束密度の高い材料を使用し、磁気飽和を発生しにくい部分には従来の材料を使用することで、ヨークを薄型化してもマグネットの磁束を有効に活用でき、結果として、スピーカの音圧レベル向上を実現することができる。【選択図】  図１
2004193835.tif 000002
【特許請求の範囲】
【請求項１】
マグネットとプレートとヨークにより構成した磁気回路と、この磁気回路の磁気ギャップに配置されたボイスコイルと、このボイスコイルに結合されたダイアフラムとを備え、前記ヨークは少なくとも２種類以上の飽和磁束密度の異なる材料から構成したスピーカ。
【請求項２】
ヨークのマグネットとの当接部を、ヨークの他の部分よりも飽和磁束密度の高い材料で構成した請求項１記載のスピーカ。
【請求項３】
ヨークの底面部のマグネット外周近傍に飽和磁束密度の高い材料を配した請求項１記載のスピーカ。
【請求項４】
ヨークの底面部とマグネットの間に、ヨークよりも飽和磁束密度の高い材料で形成した板体を配した請求項１記載のスピーカ。
【請求項５】
ヨークの底面部内側に凹部を設け、この凹部内に、ヨークよりも飽和磁束密度の高い材料で形成した板体を配した請求項１記載のスピーカ。
【請求項６】
ヨークの底面部外側に凹部を設け、この凹部内に、ヨークよりも飽和磁束密度の高い材料で形成した板体を配した請求項１記載のスピーカ。
【請求項７】
飽和磁束密度の高い材料で形成した板体は、円板状とした請求項１から請求項６記載のいずれか１つのスピーカ。
【請求項８】
飽和磁束密度の高い材料で形成した板体は、リング状とした請求項１から請求項６記載のいずれか１つのスピーカ。
【請求項９】
飽和磁束密度の高い材料で形成した板体の材厚を連続的に可変させた請求項１から請求項８記載のいずれか１つのスピーカ。
【請求項１０】
飽和磁束密度の高い材料で形成した板体の材厚を段階的に可変させた請求項１から請求項８記載のいずれか１つのスピーカ。
【請求項１１】
飽和磁束密度の高い材料としてパーメンジュールを使用した請求項１から請求項１０記載のいずれか１つのスピーカ。
【請求項１２】
互いに逆方向に音を発生する構成を有する一体化された２つのスピーカのヨークの一部を共用化したスピーカであって、この共用化したヨークは少なくとも２種類以上の飽和磁束密度の異なる材料から構成したスピーカ。
【発明の詳細な説明】
【０００１】
【発明の属する技術分野】
本発明は各種音響機器および情報通信機器に使用されるスピーカに関するものである。
【０００２】
【従来の技術】
従来のスピーカについて図１０により説明する。
【０００３】
図１０は従来のスピーカの断面図を示したものである。
【０００４】
図１０に示すごとく着磁されたマグネット１を、上部プレート２と鉄系の単一材料で構成されたヨーク３とにより挟み込んで内磁型の磁気回路４を構成していた。この磁気回路４のヨーク３にフレーム６を結合し、このフレーム６の周縁部にダイアフラム７を接着していた。そして、このダイアフラム７に結合されたボイスコイル８を、上記磁気回路４の磁気ギャップ５にはまり込むように結合していた（例えば特許文献１参照）。
【０００５】
【特許文献１】
特開２００１−２３８２９７号公報
【０００６】
【発明が解決しようとする課題】
上述のスピーカは、携帯電話等のセットの薄型化を目的としており、スピーカの薄型化を実現するために、各構成部品の材料削減による薄型化を実施している。ところが、ヨーク３の材料削減を実施するために、ヨーク３全体の材厚を薄く設計すると、磁気飽和が発生してしまい、マグネット１の磁気エネルギーが十分に活用できない磁気回路４となり、磁束密度が低下して、スピーカの音圧レベルが低下するという課題を有していた。
【０００７】
本発明は、上記課題を解決するもので、薄型化を図りつつ、スピーカの音圧レベル向上を実現できる優れたスピーカを提供するものである。
【０００８】
【課題を解決するための手段】
上記課題を解決するために、本発明は以下の構成を有する。
【０００９】
本発明の請求項１に記載の発明は、ヨークは少なくとも２種類以上の飽和磁束密度の異なる材料から構成したものである。この構成により、磁気飽和を発生しやすい部分には飽和磁束密度の高い材料を使用し、磁気飽和を発生しにくい部分には従来の材料を使用することで、ヨークを薄型化してもマグネットの磁束を有効に活用でき、スピーカの音圧レベル向上を実現することができる。
【００１０】
本発明の請求項２に記載の発明は、ヨークのマグネットとの当接部を、ヨークの他の部分よりも飽和磁束密度の高い材料で構成したものである。この構成により、マグネットの磁束の分布に応じて、ヨーク底面部の材料を変更させて構成することで、薄型化を図りながらスピーカの音圧レベル向上を実現することができる。
【００１１】
本発明の請求項３に記載の発明は、ヨークの底面部のマグネット外周近傍に飽和磁束密度の高い材料を配して構成したものである。この構成により、本来マグネットの磁束の少ないヨークの底面中央部は従来の材料を使用し、マグネットの磁束の多いヨーク底面部のマグネット外周近傍の材料は、飽和磁束密度の高い材料にて構成することで、薄型化を図りながらスピーカの音圧レベル向上を実現することができる。
【００１２】
本発明の請求項４に記載の発明は、ヨークの底面部とマグネットの間に、ヨークよりも飽和磁束密度の高い材料で形成した板体を配したものである。この構成により、マグネットの磁気エネルギーを有効に活用できることから、薄型化を図りながらスピーカの音圧レベル向上を実現することができる。
【００１３】
本発明の請求項５に記載の発明は、ヨークの底面部内側に凹部を設け、この凹部内にヨークよりも飽和磁束密度の高い材料で形成した板体を配したものである。この構成により、マグネットの磁気エネルギーを有効に活用できることから、薄型化を図りながらスピーカの音圧レベル向上を実現することができる。
【００１４】
本発明の請求項６に記載の発明は、ヨークの底面部外側に凹部を設け、この凹部内に、ヨークよりも飽和磁束密度の高い材料で形成した板体を配したものである。この構成により、マグネットの磁気エネルギーを有効に活用できることから、薄型化を図りながらスピーカの音圧レベル向上を実現することができる。
【００１５】
本発明の請求項７に記載の発明は、飽和磁束密度の高い材料で形成した板体を円板状に形成した請求項１から請求項６記載のいずれか１つのスピーカに使用したものである。この構成により、飽和磁束密度の高い材料を簡単な加工のみでマグネットの磁気エネルギーを有効活用することができる。
【００１６】
本発明の請求項８に記載の発明は、飽和磁束密度の高い材料で形成した板体を、リング状に形成した請求項１から請求項６記載のいずれか１つのスピーカに使用したものである。この構成により、飽和磁束密度の高い材料を最適な位置に最適な量のみ配置することで、コストアップを最小限に抑えつつ、マグネットの磁気エネルギーを有効活用することができる。
【００１７】
本発明の請求項９に記載の発明は、飽和磁束密度の高い材料で形成した板体の材厚を連続的に可変させたものである。この構成により、飽和磁束密度の高い材料をマグネットの磁束密度に応じて無駄なく最適に配置することで、コストアップを最小限に抑えつつ、マグネットの磁気エネルギーを有効活用することができる。
【００１８】
本発明の請求項１０に記載の発明は、飽和磁束密度の高い材料で形成した板体の材厚を段階的に可変させたものである。この構成により、飽和磁束密度の高い材料をマグネットの磁束密度に応じて無駄なく最適に配置し、さらに通常加工のし難い飽和磁束密度の高い材料を容易に構成することが可能となり、コストアップを最小限に抑えつつ、マグネットの磁気エネルギーを有効活用することができる。
【００１９】
本発明の請求項１１に記載の発明は、飽和磁束密度の高い材料としてパーメンジュールを使用して構成したものである。この構成により、飽和磁束密度の特別高い材料により、マグネットの磁気エネルギーを極限まで有効に活用できることから、薄型化を図りながらスピーカの音圧レベルの大きな向上を実現することができる。
【００２０】
本発明の請求項１２に記載の発明は、互いに逆方向に音を発生する構成を有する一体化された２つのスピーカのヨークの一部を共用化して、少なくとも２種類以上の飽和磁束密度の異なる材料から構成したものである。この構成により、共用化したヨークに飽和磁束密度の高い材料を配置することで、効率良くマグネットの磁気エネルギーを有効活用し、薄型化を図りながらスピーカの音圧レベル向上を実現することができる。
【００２１】
【発明の実施の形態】
以下、本発明の実施の形態について図面を用いて説明する。
【００２２】
（実施の形態１）
以下、実施の形態１を用いて、本発明の特に請求項１に記載の発明について説明する。
【００２３】
図１は、本発明の一実施形態のスピーカの断面図を示したものである。
【００２４】
図１に示すごとく、着磁された円板状のマグネット２１を円板状の上部プレート２２および２種類以上の飽和磁束密度の異なる材料から構成した皿状のヨーク２３により挟み込んで内磁型の磁気回路２４を構成している。この磁気回路２４のヨーク２３にリング状のフレーム２６を結合し、このフレーム２６に円板状のダイアフラム２７を接着し、このダイアフラム２７に結合された円筒状のボイスコイル２８を、上記磁気回路２４の磁気ギャップ２５にはまり込むように配置している。
【００２５】
ここでこの構成は、磁気飽和を発生しやすい部分すなわちヨーク２３のマグネット２１との接合部近傍、つまり底部２３ａには飽和磁束密度の高い材料（例えばカーボン含有量の少ない鉄）を使用し、磁気飽和を発生しにくい部分すなわちヨーク２３の側壁部２３ｂには従来の材料（底部２３ａの材料よりもカーボン含有量の多い鉄）を使用している。この構成とすることで、ヨーク２３を薄型化してもマグネット２１の磁束を有効に活用できることから、スピーカの音圧レベル向上を実現することができる。
【００２６】
（実施の形態２）
以下、実施の形態２を用いて、本発明の特に請求項２に記載の発明について説明する。
【００２７】
図２は、本発明の一実施形態のスピーカの磁気回路の断面図を示したものである。
【００２８】
実施の形態１と異なる点は、ヨーク２３の円板状底面部２３ｃを飽和磁束密度の高い材料で構成したものである。この構成により、薄型化を図りながらスピーカの音圧レベル向上を実現することができる。
【００２９】
（実施の形態３）
以下、実施の形態３を図３を用いて、本発明の特に請求項３に記載の発明について説明する。
【００３０】
図３は、本発明の一実施形態のスピーカの磁気回路の断面図を示したものである。
【００３１】
実施の形態１と異なる点は、ヨーク２３底面部のマグネット２１外周近傍部２３ｄに飽和磁束密度の高い材料を配して構成したものである。この構成により、本来マグネット２１の磁束の少ないヨーク２３の底面中央部は従来の材料を使用し、マグネットの磁束の多いヨーク２３底面部のマグネット２１外周近傍部２３ｄの材料は、飽和磁束密度の高い材料にて構成することで、薄型化を図りながらスピーカの音圧レベル向上を実現することができる。
【００３２】
（実施の形態４）
以下、実施の形態４を用いて、本発明の特に請求項４に記載の発明について説明する。
【００３３】
図４は、本発明の一実施形態のスピーカの磁気回路の断面図を示したものである。
【００３４】
実施の形態１と異なる点は、ヨーク２３の底面部とマグネット２１の間に飽和磁束密度の高い材料よりなる円板状の板体２３ｅを配して構成したものである。この構成により、マグネット２１の磁気エネルギーを有効に活用できることから、薄型化を図りながらスピーカの音圧レベル向上を実現することができる。
【００３５】
（実施の形態５）
以下、実施の形態５を用いて、本発明の特に請求項５に記載の発明について説明する。
【００３６】
図５は、本発明の一実施形態のスピーカの磁気回路の断面図を示したものである。
【００３７】
実施の形態１と異なる点は、ヨーク２３の底面部内側に座ぐりにより凹部２３Ａを設け、この凹部２３Ａ内に飽和磁束密度の高い材料よりなる円板状の板体２３ｆを配したものである。この構成により、マグネット２１の磁気エネルギーを有効に活用できることから、薄型化を図りながらスピーカの音圧レベル向上を実現することができる。
【００３８】
（実施の形態６）
以下、実施の形態６を用いて、本発明の特に請求項６に記載の発明について説明する。
【００３９】
図６は、本発明の一実施形態のスピーカの磁気回路の断面図を示したものである。
【００４０】
実施の形態１と異なる点は、ヨーク２３の底面部外側に座ぐりにより凹部２３Ｂを設け、この凹部２３Ｂ内に、飽和磁束密度の高い材料よりなる円板状の板体２３ｇを配したものである。この構成により、マグネット２１の磁気エネルギーを有効に活用できることから、薄型化を図りながらスピーカの音圧レベル向上を実現することができる。
【００４１】
（実施の形態７）
以下、実施の形態７を用いて、本発明の特に請求項７に記載の発明について説明する。
【００４２】
図１の実施の形態１に示すように、飽和磁束密度の高い材料を円板状に形成して請求項１から請求項６記載のいずれか１つのスピーカに使用したものである。この構成により、飽和磁束密度の高い材料を簡単な加工のみでマグネットの磁気エネルギーを有効活用できることから、薄型化を図りながらスピーカの音圧レベル向上を実現することができる。
【００４３】
（実施の形態８）
以下、実施の形態８を用いて、本発明の特に請求項８に記載の発明について説明する。
【００４４】
実施の形態１と異なる点は、図３の実施の形態３に示すように、飽和磁束密度の高い材料で外周部近傍部２３ｄをリング状に形成して請求項１から請求項６記載のいずれか１つのスピーカに使用したものである。この構成により、飽和磁束密度の高い材料を最適な位置に最適な量のみ配置することで、コストアップを最小限に抑えつつ、マグネット２１の磁気エネルギーを有効活用できることから、薄型化を図りながらスピーカの音圧レベル向上を実現することができる。
【００４５】
（実施の形態９）
以下、実施の形態９を用いて、本発明の特に請求項９に記載の発明について説明する。
【００４６】
図７は、本発明の一実施形態のスピーカの磁気回路の断面図を示したものである。
【００４７】
実施の形態１と異なる点は、飽和磁束密度の高い材料により円板状で、しかも中心から外周に向けて材厚を連続的に可変させた円板２３ｈを、マグネット２１とヨーク２３間に設けたことである。この構成により、飽和磁束密度の高い材料をマグネット２１の磁束密度の高い部分には多く、低い部分には少なく無駄なく最適に配置することで、コストアップを最小限に抑えつつ、マグネット２１の磁気エネルギーを有効活用することができる。
【００４８】
よって、薄型化を図りながらスピーカの音圧レベル向上を実現することができる。
【００４９】
（実施の形態１０）
以下、実施の形態１０を用いて、本発明の特に請求項１０に記載の発明について説明する。
【００５０】
図８は、本発明の一実施形態のスピーカの磁気回路の断面図を示したものである。
【００５１】
実施の形態１と異なる点は、飽和磁束密度の高い材料で、円板状の板体２３ｊを形成するとともに、その材厚を中心から外方に向けて段階的に厚くしたものである。この構成により、飽和磁束密度の高い材料よりなる板体２３ｊをマグネット２１の磁束密度の高い外方は厚くすることで、無駄なく最適に配置できる。また、通常加工のし難い飽和磁束密度の高い材料でも、この形状の板体２３ｊなら容易に構成することが可能となり、コストアップを最小限に抑えつつ、マグネット２１の磁気エネルギーを有効活用することができる。
【００５２】
よって、薄型化を図りながらスピーカの音圧レベル向上を実現することができる。
【００５３】
（実施の形態１１）
以下、実施の形態１１を用いて、本発明の特に請求項１１に記載の発明について説明する。
【００５４】
本発明は、上記実施の形態１〜１０において用いた飽和磁束密度の高い材料としてパーメンジュールを使用し、請求項１から請求項１１記載のいずれか１つのスピーカを構成したものである。この構成によれば、飽和磁束密度の極めて高い材料により、マグネット２１の磁気エネルギーを極限まで有効に活用できることから、薄型化を図りながらスピーカの音圧レベルの大きな向上を実現することができる。
【００５５】
（実施の形態１２）
以下、実施の形態１２を用いて、本発明の特に請求項１２に記載の発明について説明する。
【００５６】
図９は、本発明の一実施形態のスピーカの磁気回路の断面図を示したものである。
【００５７】
実施の形態１と異なる点は、互いに逆方向に音を発生する構成を有する一体化された２つのスピーカのヨーク２３の底面部２３ｋを共用化するとともに、飽和磁束密度の高い材料から構成したものである。この構成によれば、共用化したヨーク２３を飽和磁束密度の高い材料で形成することで、効率良くマグネット２１の磁気エネルギーを有効活用し、薄型化を図りながらスピーカの音圧レベル向上を実現することができる。
【００５８】
特に、当構成はスピーカが１個の場合に比べて、ヨーク２３底面部２３ｋの共用化した部分にはマグネット２１の２個分の磁気エネルギーが通過するため、飽和磁束密度が高くなることの効果は非常に大きい。
【００５９】
【発明の効果】
以上のように、本発明のスピーカは、ヨークは少なくとも２種類以上の飽和磁束密度の異なる材料から構成したものである。つまり、磁気飽和を発生しやすい部分には飽和磁束密度の高い材料を使用し、磁気飽和を発生しにくい部分には従来の材料を使用することで、ヨークを薄型化してもマグネットの磁束を有効に活用でき、この結果として、スピーカの音圧レベル向上を実現することができる。
【００６０】
このように本発明は、薄型でありながらスピーカの音圧レベル向上を実現できる優れたスピーカを提供することができ、その工業的価値は非常に大なるものである。
【図面の簡単な説明】
【図１】本発明の一実施の形態におけるスピーカの断面図
【図２】本発明の別の実施の形態におけるスピーカの断面図
【図３】本発明の別の実施の形態におけるスピーカの断面図
【図４】本発明の別の実施の形態におけるスピーカの断面図
【図５】本発明の別の実施の形態におけるスピーカの断面図
【図６】本発明の別の実施の形態におけるスピーカの断面図
【図７】本発明の別の実施の形態におけるスピーカの断面図
【図８】本発明の別の実施の形態におけるスピーカの断面図
【図９】本発明の別の実施の形態におけるスピーカの断面図
【図１０】従来のスピーカの断面図
【符号の説明】
２１  マグネット
２２  上部プレート
２３  ヨーク
２３Ａ  共用化したヨーク
２３ａ  ヨークの底部
２４  磁気回路
２５  磁気ギャップ
２６  フレーム
２７  ダイアフラム
２８  ボイスコイル
【図１】
2004193835.tif 000003
【図２】
2004193835.tif 000004
【図３】
2004193835.tif 000005
【図４】
2004193835.tif 000006
【図５】
2004193835.tif 000007
【図６】
2004193835.tif 000008
【図７】
2004193835.tif 000009
【図８】
2004193835.tif 000010
【図９】
2004193835.tif 000011
【図１０】
2004193835.tif 000012